(57)【特許請求の範囲】
【請求項１】
上端が最も高い位置となる直真用支柱体を後部中央とし、その周囲に、左右両側方および前方に向かうに従って段階状に低くなるよう高さ調節した複数本の飾り用支柱体を配して一まとめに結束状としてなる基幹部を、花瓶に立設状とした上、該基幹部の中の選択された支柱体上端には、有底短筒状で内部を花卉類の根元差込み用とする受け空間部となし、その底部または外側面からは所望する長さ突出状とした連結部を有するものとしてなる受筒部が、当該連結部を対応する支柱体に同軸状に差し込まれたものとすることにより、仏花飾り様式に応じた配置で受筒部が支柱体に支持されるようにしたことを特徴とする仏花用生け花器。
【請求項２】
上端が最も高い位置となる直真用支柱体を後部中央とし、その周囲に、左右両側方および前方に向かうに従って段階状に低くなるよう高さ調節した複数本の飾り用支柱体を配して一まとめに結束状としてなる基幹部を、花瓶に立設状とした上、該基幹部の中の選択された支柱体上端には、有底短筒状で内部を花卉類の根元差込み用とする受け空間部となし、その底部または外側面からは所望する長さ突出状とした連結部を有するものとしてなる受筒部が、当該連結部を、対応する支柱体に同軸状であって、且つ軸芯回りでの向きの変更可能に差し込まれたものとすることにより、仏花飾り様式に応じた配置で受筒部が支柱体に支持されるようにしたことを特徴とする仏花用生け花器。
【請求項３】
上端が最も高い位置となる金属製の直真用支柱体を後部中央とし、その周囲に、左右両側方および前方に向かうに従って段階状に低くなるよう高さ調節した金属製の複数本の飾り用支柱体を配して一まとめに結束状となし、総重量が花卉類よりも重く、且つその重心位置を低くしてなる基幹部を、花瓶に立設状とした上、該基幹部の中の選択された支柱体上端には、有底短筒状で内部を花卉類の根元差込み用とする受け空間部となし、その底部または外側面からは所望する長さ突出状とした連結部を有するものとしてなる受筒部が、当該連結部を、対応する支柱体に同軸状であって、且つ軸芯回りでの向きの変更可能に差し込まれたものとすることにより、仏花飾り様式に応じた配置で受筒部が支柱体に支持されるようにしたことを特徴とする仏花用生け花器。
【請求項４】
基幹部は、その底部または外側下端縁近傍に安定盤または安定環が組み合わされてなるものとした、請求項１ないし３何れか記載の仏花用生け花器。
【請求項５】
受筒部が、受け空間部の内部に、花卉類根元を突き刺し可能とし、吸水性を有する発泡合成樹脂製塊を収容してなる枝型受筒部と、小さくない口径の受け空間部の内部に、複数の逆円錐管を結束状とし、花卉類根元を放射状に受け入れ可能にする根元受けを装着してなる胴型受筒部とからなるものとし、それらの双方または何れかを適宜選択的に組み合わせてなるものとした、請求項１ないし４何れか記載の仏花用生け花器。
【請求項６】
基幹部が金属製パイプ材から形成されたものとし、受筒部連結部を、当該基幹部上端開口部から挿入状にして抜き差し自在に組み合わせてなるものとした、請求項１ないし５何れか記載の仏花用生け花器。
【請求項７】
基幹部を金属棒とし、受筒部連結部を先割れ型管体からなるものとした上、該基幹部上端から当該連結部の先割れ部分を被冠状に挿入して抜き差し自在に組み合わせてなるものとした、請求項１ないし５何れか記載の仏花用生け花器。
【請求項８】
受筒部連結部が、手曲げ可能な程度に可撓性を有する金属材から形成され、受筒部の基幹部への取付け角度を自在に調節可能なものとした、請求項１ないし７何れか記載の仏花用生け花器。
【請求項９】
受筒部の一つである枝型受筒部が、その開口部付近の内周壁面適所に、弾性を有する合成樹脂製の緩衝帯を貼着し、該緩衝帯が、花卉類の根元側を、側方から弾力を以って押圧状に支持し得るものに形成された、請求項１ないし８何れか記載の仏花用生け花器。
【請求項１０】
受筒部の一つである枝型受筒部が、その開口部付近の内周壁面後方適所に弾性合成樹脂製の緩衝帯を貼着すると共に、該緩衝帯に対峙する前方の内周壁面付近に横架状となるようにして抑え棒を組み合わせ、それら緩衝帯と抑え棒との間に、花卉類の根元側を挟着状に支持し得るものに形成された、請求項１ないし８何れか記載の仏花用生け花器。
【請求項１１】
上端が最も高い位置となる直真用支柱体を後部中央とし、その周囲に、左右両側方および前方に向かうに従って段階状に低くなるよう高さ調節した複数本の飾り用支柱体を配して一まとめに結束状としてなる基幹部を、花瓶に立設状とした上、該基幹部の中の選択された支柱体上端には、有底短筒状で内部を花卉類の根元差込み用とする受け空間部となし、その底部または外側面からは所望する長さ突出状とした連結部を有するものとしてなる受筒部が、当該連結部を、対応する支柱体に同軸状に差し込まれて支持されるようにした上、後部中央の最も高い受筒部に直真を立てる一方、周囲側方および下側前方の対応する各受筒部の夫々に、見越し、請、請下、流枝、副、副下、控、ならびに胴の側部、色切の側部、前置の側部等に相当する花、草または木等の花卉類を夫々挿入すると共に、前方中央付近の各胴型受筒部に、胴の中央部、色切の中央部、ならびに前置の中央部の草、花等の花卉類を夫々挿して飾り付け、仏花飾り様式に応じた配置の仏花用生け花に仕上げるようにしたことを特徴とする、請求項１ないし１０何れか記載の仏花用生け花器を使用した仏花用生け花の仕上げ方法。
【発明の詳細な説明】
【０００１】
【発明の目的】
この発明は、仏閣等で開催される彼岸会やその他の仏事の際に供えられる、いわゆる仏花に関する技術であって、特に、基礎を構成する要素を部品化し、宗派や季節の花卉類に応じて各部品を自在に組み立て、安定且つ優美に、手際良く生けることを可能とする新規な構造からなる仏花用生け花器、およびそれを使用した新規な仏花用生け花の仕上げ方法を提供しようとするものである。
【０００２】
【従来の技術】
我が国における仏教各宗派では、春分、秋分の前後一週間に渡って彼岸会が営まわられ、その際、荘厳に供えられる仏花は、夫々の宗派に応じた様式に従って生けるのが習わしとされており、洋花や造花を用いず、伝統的な季節折々の木や草花等の花卉類を取り混ぜて配色やバランスに注意が払われるばかりでなく、荘厳な儀式との調和も重視して生けられたものとしなければならず、したがって、普通の生け花とは違ってかなり大型で見栄えのするものとなり、一般的な生け方をしたのでは、安定した状態に造り上げることが困難なため、骨格をなす部分に木製の幹棒や竹製の受筒、針金等を複雑に組み合わせる必要があった。
【０００３】
この従前からの一連の作業は、例えば、花瓶に込藁を差し、該込藁に上端に受筒を設けた幹棒の基部を挿し立て、該受筒に直真を装着し、込藁に真横に伸びる流枝と斜め後ろに伸びる控とを挿し立てた後、該幹棒の適宜中途箇所の夫々に、複数個の竹製受筒を針金か、麻紐等によって括り着け、請、副下、副、見越し、正真前、胴等を適宜形状とするよう挿して、仏花全体を蝋燭から立ち昇る炎のように仕上げるといった手順によるもの等がその一例である。
【０００４】
このような自然の木や草花等を使用する大型の仏花は、花や枝等の夫々の姿勢を長時間に渡って安定して維持できるように生けるのが極めて難しく、高い技術と経験とを要することから、一般的な生け花に精通しているだけの人では到底生けることができず、そのための専門技能者が全国を巡って対応せざるを得ないという実情にあって、極めて非効率的であるばかりではなく、その都度過酷な作業を長時間に亘って強いられてしまうという不都合が続いており、結果的に十分なニーズに対応し切れないことから、寺院の職員や僧侶が止むを得ず見よう見真似でその場を凌ぐといった事態も頻発している程である。
【０００５】
また、専門技能者による仏花にしても、幹棒に括り着ける等して生けられた木や草花は、根元付近に水を掛ける程度の吸水しかできず、長期間生かすことが困難であり、そのため、予め受筒を多用し、その受筒に給水するのが望ましいが、竹製の受筒は、針金や麻紐で括り付ける構造とならざるを得ず、幹棒への安定した固定が難しく、次第に取り付け部分が緩んでしまったり、生けられた枝や草花が傾いてしまったりと、仏花全体の形を崩してしまう虞れがあり、長期に渡って供えられる仏花には、頻繁に給水をしたり、常に各部の固定状態や全体の形の崩れを確認し、不都合があれば直ちに矯正したり、部分的に差し替えする等の手入れが必要な上、花卉類が痛んでしまえば、仏花そのものを生け変えることが不可欠になる外、生け花を終了した後の維持、管理にも、多大な労力を要するものであった。
【０００６】
生け花を長持ちさせる技術には、例えば特開平８−３２２６９４号公報の花束ハンドルに開示された発泡合成樹脂製の給水フォームを利用するもの等があり、仏花にこの技術を応用し、竹製の受筒に発泡合成樹脂製の給水フォームを設けるようにしたとしても、長期間に渡って大型の花卉類の鮮度を保つことにはならなかったり、重量の掛かる花卉類のバランスを保って安定に形を整え続けさせる点でも信頼性を欠く上、何よりも威厳を重視する仏花にそのまま採用することは到底不可能な技術と考えるざるを得ないものであり、したがって、従前から提案されている技術の応用だけでは済ますことができず、優美で調和のとれた仏花を生けることを可能とする何か特別の技術開発が望まれるものであった。
【０００７】
この発明は、以上のように、寺の御堂等に供えられる大型の仏花が、その宗教的背景から形や花卉の配色等が重視され、宗教儀式が行われる期間に渡り、その鮮度と形式とを忠実に再現、維持するために相当の困難性を伴い、且つその維持管理には多大な経費と労力とを要することになっているという事情に疑問を抱き、逸速くその開発、研究に着手し、長期に渡る試行錯誤と幾多の試作、実験とを繰り返してきた結果、今回、遂に新規な構造の仏花用生け花器、およびそれを使用した新規な仏花用生け花の仕上げ方法を実現化することに成功したものであり、以下では、図面に示すこの発明を代表する実施例と共に、その構成を詳述することとする。
【０００８】
【発明の構成】
図面に示すこの発明を代表する実施例からも明確に理解されるように、この発明に包含される仏花用生け花器は、基本的に次のような構成から成り立っている。
即ち、上端が最も高い位置となる直真用支柱体を後部中央とし、その周囲に、左右両側方および前方に向かうに従って段階状に低くなるよう高さ調節した複数本の飾り用支柱体を配して一まとめに結束状としてなる基幹部を、適宜花瓶に立設状とした上、該基幹部の中の選択された支柱体上端には、有底短筒状で内部を花卉類の根元差込み用とする受け空間部となし、その底部または外側面からは適宜長さ突出状とした連結部を有するものとしてなる受筒部が、当該連結部を対応する支柱体に同軸状に差し込まれたものとすることにより、仏花飾り様式に応じた配置で受筒部が支柱体に支持されるようにした構成を要旨とする仏花用生け花器である。
【０００９】
この基本的な構成からなる仏花用生け花器を、より具体的な構成によるものとして示すと、上端が最も高い位置となる直真用支柱体を後部中央とし、その周囲に、左右両側方および前方に向かうに従って段階状に低くなるよう高さ調節した複数本の飾り用支柱体を配して一まとめに結束状としてなる基幹部を、適宜花瓶に立設状とした上、該基幹部の中の選択された支柱体上端には、有底短筒状で内部を花卉類の根元差込み用とする受け空間部となし、その底部または外側面からは適宜長さ突出状とした連結部を有するものとしてなる受筒部が、当該連結部を、対応する支柱体に同軸状であって、且つ軸芯回りでの向きの変更可能に差し込まれたものとすることにより、仏花飾り様式に応じた配置で受筒部が支柱体に支持されるようにした仏花用生け花器ということが可能である。
【００１０】
更に具体的には、上端が最も高い位置となる金属製の直真用支柱体を後部中央とし、その周囲に、左右両側方および前方に向かうに従って段階状に低くなるよう高さ調節した金属製の複数本の飾り用支柱体を配して一まとめに結束状となし、総重量が花卉類に対して十分重く、且つその重心位置をできるだけ低くしてなる基幹部を、適宜花瓶に立設状とした上、該基幹部の中の選択された支柱体上端には、有底短筒状で内部を花卉類の根元差込み用とする受け空間部となし、その底部または外側面からは適宜長さ突出状とした連結部を有するものとしてなる受筒部が、当該連結部を、対応する支柱体に同軸状であって、且つ軸芯回りでの向きの変更可能に差し込まれたものとすることにより、仏花飾り様式に応じた配置で受筒部が支柱体に支持されるようにした構成を要旨とする仏花用生け花器である。
【００１１】
基幹部は、花瓶上の所望する位置に、受筒部を着脱自在に支持可能とする機能を果たすものであって、取り付けられた受筒部の夫々を、充分な強度で保持できるようにした支柱体の多数が、所望位置に夫々配置されるようにした構造のものとしなければならず、その底部または外側下端縁近傍に、コンクリート塊や金属塊等の重量物からなる安定盤または安定環が組み合わされてなるものとすることができ、また、金属製パイプ材から形成されたものとし、受筒部連結部を、当該基幹部上端開口部から挿入状にして抜き差し自在に組み合わせてなる構造とすることが可能である外、金属棒とし、受筒部連結部を先割れ型管体からなるものとした上、該基幹部上端から当該連結部の先割れ部分を被冠状に挿入して抜き差し自在に組み合わせるようにしたものとすることもできる。
【００１２】
直真用支柱体は、同一の基幹部に結束状とされ、周囲に配された支柱体に比較して最も高い位置にあって、直真用の受筒部を、該基幹部の後部中央に着脱自在に装着可能とする機能を果たすものであり、仏花における直真あるいは軒真が差し込まれた受筒体を支持するに充分な強度に形成しなければならず、花瓶に装着される基幹部基部から、上下に渡って延伸された棒状またはパイプ状のものとすることが可能である外、下端側基部をもたず、周囲支柱体の上側部に一体的に保持され、その上端部を最も高い位置にあるよう配置させた構造とすることができ、また、その上端部には、木の枝の基部に縛り付けられた連結部を、着脱自在に接続できるよう構成したものとすることができる。
【００１３】
飾り用支柱体は、直真用支柱体の左右側方および前方に向かうに従って段階状に低くなるよう高さ調節され、各受筒部や胴型受筒部等を、夫々所望する位置に着脱自在に支持する機能を果たすものであり、例えば、飾り用支柱体の周囲側方および下側前方の対応する各受筒部の夫々に、見越し、請、請下、流枝、副、副下、控、ならびに胴の側部、色切の側部、前置の側部等に相当する花、草または木等の花卉類を夫々挿入した各受筒部を着脱自在に支持可能とし、前方中央付近、胴の中央部、色切の中央部、ならびに前置の中央部の草、花等の花卉類を夫々挿して飾り付けた各胴型受筒部を、夫々の装着すべき位置に、適宜着脱自在に支持可能とするよう構成したものとすることができる外、木の枝の基部に連結部を縛り付け、その連結部を着脱自在に接続可能な構造とすることができる。
【００１４】
花瓶は、その外観が花瓶状をなし、受筒部に飾られた花卉類が、花瓶に差し立てた状態の外観を得る機能を果たすものであって、複数本の支柱体を所望する配置とするよう結束状とした基幹部の下側基端部を、上部開口に差し込まれた状態に組み合わせられるものとしなければならず、該基幹部の下側基端部と一体的に組み合わせられ、基幹部が安定して立設された構造とするのが望ましく、上部に基幹部下端側を差し込み、立設可能な開口部を設けた有底筒状のものに形成することが可能である外、底部をもたず、上部開口から挿し込まれ、立設状となった基幹部下端側が、直接接地する筒型に形成したものとすることもできる。
【００１５】
受筒部は、基幹部支柱体の各上端部に着脱可能であって、所望する位置に花卉類を差し込み、生けられた姿勢のままに保持可能とする機能を果たすものであり、給水可能な有底筒状の受け空間部を形成し、支柱体上端に着脱自在な連結部を有するものとしなければならず、例えば、その受け空間部の内部に、花卉類根元を突き刺し可能とし、吸水性を有する発泡合成樹脂製塊を収容してなる枝型受筒部と、口径の比較的大きな受け空間部の内部に、複数の逆円錐管を結束状とし、花卉類根元を放射状に受け入れ可能にする根元受けを装着してなる胴型受筒部とからなるものとし、それらの双方または何れかを適宜選択的に組み合わせて使用可能なものとすることができる。
【００１６】
受け空間部は、差し立てた花卉類を所望する姿勢に保持可能とすると共に、漏水を防ぎ、受筒部に差し立てた花卉類に給水可能とする機能を果たすものであり、連結部は、受筒部に設けられ、基幹部支柱体の各上端部に着脱自在に装着可能とする機能を果たすものであり、手曲げ可能な程度に可撓性を有する金属材から形成され、受筒部の基幹部への取付け角度を自在に調節可能な構造とすることが可能である外、複数の駒を可撓性を有する連結構造によって繋ぎ、先端部に、支柱体上端部に着脱可能な装着構造を設けてなる構造のものとすることも可能である。
【００１７】
枝型受筒部は、点在するよう飾り付けられる花卉類を差し込み可能とする機能を果たすものであり、その開口部付近の内周壁面適所に、弾性を有する合成樹脂製の緩衝帯を貼着し、該緩衝帯が、花卉類の根元側を、側方から適度の弾力で押圧状に支持し得るものに形成した構造や、開口部付近の内周壁面適所に、弾性を有する合成樹脂製の緩衝帯を貼着し、該緩衝帯が、花卉類の根元側を、側方から適度の弾力で押圧状に支持し得るものに形成されたものとすることが可能である外、開口部付近の内周壁面後方適所に弾性合成樹脂製の緩衝帯を貼着すると共に、該緩衝帯に対峙する前方の内周壁面付近に横架状となるようにして抑え棒を組み合わせ、それら緩衝帯と抑え棒との間に、花卉類の根元側を挟着状に支持し得るものに形成されたものとすることができる。
【００１８】
胴型受筒部は、ある面積に渡って飾り付ける花卉類を差し込み可能とする機能を果たすものであり、枝型受筒部よりも大きな口径に設定し、その受け空間部内に、細径短筒状の有底管を複数本、結束状としてなる根元受けを装着したものとしなければならず、複数本の逆円錐管を結束状とし、花卉類の根元を放射状に受け入れ可能な構造とするのが望ましく、複数の細径短筒状の管からなる根元受けを、脱着自在に装着したものとすることが可能である外、根元受けの底部近傍に給水用の貫通孔を穿孔し、受け空間部内に供給された水が、同一受筒部に飾り付けられた全ての花卉類に行き届くよう構成したものとすることができる。
【００１９】
【関連する発明】
この発明には、上記した仏花用生け花器に関連して、この発明の仏花用生け花器を使用した仏花用生け花の仕上げ方法も包含しており、その構成の要旨は、基本的に次のとおりのものである。
即ち、上端が最も高い位置となる直真用支柱体を後部中央とし、その周囲に、左右両側方および前方に向かうに従って段階状に低くなるよう高さ調節した複数本の飾り用支柱体を配して一まとめに結束状としてなる基幹部を、適宜花瓶に立設状とした上、該基幹部の中の選択された支柱体上端には、有底短筒状で内部を花卉類の根元差込み用とする受け空間部となし、その底部または外側面からは適宜長さ突出状とした連結部を有するものとしてなる受筒部が、当該連結部を、対応する支柱体に同軸状に差し込まれて支持されるようにした上、後部中央の最も高い受筒部に直真を立てる一方、周囲側方および下側前方の対応する各受筒部の夫々に、見越し、請、請下、流枝、副、副下、控、ならびに胴の側部、色切の側部、前置の側部等に相当する花、草または木等の花卉類を夫々挿入すると共に、前方中央付近の各胴型受筒部に、胴の中央部、色切の中央部、ならびに前置の中央部の草、花等の花卉類を夫々挿して飾り付け、仏花飾り様式に応じた配置の仏花用生け花に仕上げるようにした仏花用生け花器を使用した仏花用生け花の仕上げ方法である。
【００２０】
花卉類を個別に差し込んだ受筒部の夫々を、各宗派毎の仏花飾り様式に応じた配置とするよう、適宜支柱体上端に装着し、仏花用生け花に仕上げることができる外、様々な花卉類を個別に差し込んだ受筒部を多数用意し、様式の異なる複数の仏花用生け花、または様式の同じ仏花用生け花を、同時に、あるいは流れ作業等によって飾り付けて、多数の仏花を同時に仕上げて行く仕上げ方法とすることが可能である外、様々な花卉類を個別に差し込んだ受筒部、花瓶および基幹部の夫々を、分解されたままの状態で設置箇所まで運搬し、設置箇所に花瓶および基幹部を組み立てた後に、既に花卉類を個別に差し込まれた受筒部を、順次飾り付けて行き、最終的に仏花用生け花の仕上げる方法を採ることができる。
以下では、図面に示すこの発明を代表する実施例と共に、その構造について詳述することとする。
【００２１】
【実施例】
図１の花瓶に立てられた基幹部の斜視図、図２の花瓶の断面図、図３の枝型受筒部の斜視図、図４の抑え棒を設けた枝型受筒部の斜視図、図５の抑え棒を有する枝型受筒部の断面図、図６胴型受筒部の斜視図、図７の胴型受筒部の断面図、および図８の組み立てられた仏花用生け花器の斜視図に示してある事例は、複数本の長さの異なる金属製パイプを組み合わせることによって形成した基幹部に、複数の枝型筒受部および胴型筒受部を適宜組合せ、形成した基本的構成からなるこの発明に包含される仏花用生け花器における代表的な一実施例である。
【００２２】
仏花用生け花器１は、最も長い寸法に設定された真鍮またはステンレス等の金属パイプ製の直真用支柱体２１を、後部中央に配置させ、その左右側方および前方の夫々に、外側に向かうに従って段階状に低くなるよう長さ設定された同様の金属パイプ製の飾り用支柱体２２，２２，……の複数本を配置させると共に、要所々々を鑞付けするか、あるいは適宜結束帯を用いる等して一まとめに束ねて形成した基幹部２の基部に、下部を筒状とし、上部を拡開状とした弾性を有する合成樹脂製の二枚の抑え管２３，２３を、二重構造とするよう装着し、該抑え管２３，２３を挟み込む状態とするよう、基幹部２基部を、板金加工によって形成された花瓶３の上部開口から底部開口まで、図２中に示すよう貫通する状態に装着し、花瓶３に，図１に示した状態に基幹部２を立設させたものである。
【００２３】
該基幹部２の各支柱体２１，２２，２２，……の上端には、図３に示すように、合成樹脂製の有底筒型状に形成され、内部に吸水性を有する発泡合成樹脂製塊４１を収容し、その底部側外周壁面に、該基幹部２の各支柱体２１，２２，２２，……の上端に、差し込み可能な外径寸法に設定された金属パイプ製の連結部４２の上端側が、リベット構造によって防水状態に固着された枝型受筒部４を、同枝型受筒部４の底部から突出状となっている連結部４２の先端側を着脱自在に差し込み、連結可能な構造としている。
【００２４】
また、枝型受筒部４は、図４および図５に示すように、上側開口部の背面側を延伸状とし、その延伸状とした内周壁の略全面に、弾性合成樹脂製の緩衝帯４３を貼着し、該緩衝帯４と略対峙する配置となるよう横架状となる抑え棒４４を設けたものとすることが可能であり、連結部４２の下端を棒状の支柱体２１，２２，２２，……にも差し込み可能な先割れ型とすることができる。
【００２５】
更に、該基幹部２の各支柱体２１，２２，２２，……の上端には、図６および図７に示すように、比較的大口径に形成され、受け空間部内の底面略中央に、短管型の装着穴５４が形成され、該装着穴５４に、複数本の逆円錐管５２，５２，……の基部を束ねた短円柱型の根元受け５１を着脱自在に装着してなる型受筒部５の、連結部５５を差し込み、連結できる構造としており、前記複数の枝型受筒部４，４，……、および複数の胴型受筒部５，５，……の夫々を、花瓶３に立てられた基幹部２の適所に装着すれば、図８中に示されるような、仏花用生け花器１が組み立て、形成されるものである。
【００２６】
【作用】
以上のとおりの構成からなるこの発明の仏花用生け花器１は、この発明に包含される仏花用生け花の仕上げ方法に用いれば、図１に示したように、花瓶３に立設状とし基幹部２の中の、後部中央の最も高い位置、およびその周囲側方ならびに下側前方の適宜選択された直真用支柱体２１、および飾り用支柱体２２，２２，……の各上端に、枝型受筒部４，４，……の連結部４２，４２，……を、夫々同軸状に差し込み、支持されるように連結し、その向きを連結部４２の軸心回りに回動させ、また、必要に応じて連結部４２自体を適宜折曲あるいは湾曲状に変形させて調節し、更に、中央付近の適宜選択された飾り用支柱体２２，２２，……の各上端には、胴型受筒部５，５，……の連結部５５，５５，……を同軸状に差し込むと共に、枝型受筒部４，４，……と同様に、連結部５５の軸心回りに回動させ、また、連結部５５折曲する等して夫々の向きを個別に調整したものとする。
【００２７】
その後、図８に示すような仏花用生け花器１を組み立てた上、後部中央の最も高い直真用支柱体２１に鉛直状に差し立てられた枝型受筒部４に直真６１を差し立て、周囲側方および下側前方の対応する各枝型受筒部４，４，……の夫々に、見越し６２、請６３、請下６４、流枝６５、副６６、副下６７、控６８、ならびに胴の側部６９、色切の側部７０、前置の側部７１等に相当する花、草または木等の花卉類を夫々挿入し、前方中央付近の各胴型受筒部５に、胴の中央部７２、色切の中央部７３、ならびに前置の中央部７４の草、花等の花卉類を夫々挿して飾り付け、仏花飾り様式に応じた配置の仏花用生け花に仕上げることが可能となるものであり、また、枝型受筒部４に挿し立てることができない程度の大きな枝等は、その基部に、枝型受筒部４に設けたものと同様の金属製パイプからなる連結部を、針金等を用いて縛り付け、該連結部を基幹部２に装着する構造とすることが可能である。
【００２８】
そして、各枝型受筒部４に差し立てられた花卉類は、その中空空間内部に収容された発泡合成樹脂製塊４１に含まれた水分を吸水可能であり、緩衝帯４３および抑え棒４４を設けたものであれば、所望する向きに生けられた花卉類の茎を長時間に渡って安定に保持するものとなり、胴型受筒部５に生けられた花卉類は、小分けされた束毎に、逆円錐管５２，５２，……に個々に差し込まれるので、同じ長さに切り揃えられた花卉の先端が、ドーム型を形成するよう配置されるものとなり、取外しの際には、装着穴５４から根元受け５１を引き出すという操作だけで速やかに取り出され、根元受け部５１を逆さに持って振い落とせば、生けられた花卉類は簡単に離脱、落下し、煩わしい取外し作業が不要となる。
【００２９】
【効果】
以上のとおり、この発明の仏花用生け花器によれば、花瓶に立設された直真用支柱体や飾り用支柱体を組み合わせてなる基幹部の、各花卉類を生けようとする適宜箇所の夫々に、受筒部を着脱自在に装着し、所望する角度に木の枝や、枝に咲く花、草花等を差し込み可能とすることができるので、従前までのように、込藁に幹棒を立てたり、更に幹棒の中途部に竹製の受筒等を縛り付けたりする繁雑な作業を一切不要とし、仏花を生ける作業時間を大幅に短縮することができると共に、受筒部に形成された連結部は、直真用支柱体や飾り用支柱体の上端に対し、差込み構造によって連結されるので、支持角度を確実に維持し、不用意な脱落を無くすことができるものとなる上、受筒部内に給水することにより、長時間に渡り仏花の鮮度を保つことができるという極めて秀れた特徴が得られるものである。
【００３０】
また、この発明の仏花用生け花器を使用した仏花用生け花の仕上げ方法によれば、仏教各宗派によって夫々定められた仏花様式に応じて、受筒部を基幹部の自由な位置に着脱自在に装着することが可能であり、しかも、各受筒部の連結部は、基幹部の各直真用支柱体や飾り用支柱体の上端に抜き差し状に着脱容易であることから、各部に生け花を挿し終え、全体的なバランスを確認した後に、不釣り合いな部分を発見したり、受筒部等に不具合を発見したような場合等にも、対象となる受筒部だけを簡便に取り外し、基幹部への装着位置を変更したり、速やかに新たな受筒部と交換することができる上、針金や麻紐、込藁といった使用後に廃棄処理するしかない消耗部品を不要とすることができるから、経済的に製作することができるという大きな特徴が得られるものとなる。
【００３１】
特に、実施例に説明した仏花用生け花器１は、上記した特徴に加え、直真用支柱体２１や複数本の装飾用支柱体２２，２２，……を結束状とした基幹部２の総重量が、花卉類に対して十分に重く、且つその重心位置をできるだけ低く設定したものとすることにより、重量バランスに捕われることなく、外観上の調和を重視した生け花方を可能にすると共に、高い安定性を確保したものとすることができ、吹き込んだ風や周囲を移動する人等によって不用意に加わえられた外力を受けて、仏花が簡単に転倒してしまうような不都合を確実に防止することができ、また、枝型受筒部４や胴型受筒部５の連結部４２，５５を、軸芯回りに向きの変更可能な構造であって、更に手曲げ可能な程度に可撓性を有する金属材から形成したものとし、受筒部４，５の装着角度や向きを微妙且つ自在に調整することができ、従前までのような高度な熟練を要さずとも、調和のとれた理想的な形の仏花を生けることが可能になるという実用的な効果が期待できるものとなる。
【００３２】
また、図３中の枝型受筒部４のように、内部に発泡合成樹脂製塊４１を設けたものとし、作業中や誤って転倒させた場合にも、水が溢れる虞れがない上、花卉類の鮮度を長期間保つことができるようにしたものとすることができ、図４および図５中に示すように、開口付近に、緩衝帯４３とこれに対峙する抑え棒４４とを設けるようにした枝型受筒部４は、花卉類の茎や枝等を損傷させることなく確実に保持し、仕上げ完了当初の装着角度を確実に維持することが可能となり、保守管理の際の手直しの手間を大幅に削減することができるものとなり、更にまた、図６および図７に示されるように、複数の逆円錐管５２，５２，……を束ね、着脱自在に装着した胴型受筒部５は、各逆円錐管５２，５２，……に、適量ずつの花卉類を挿し立てて行く作業を繰り返すだけで、隙間なく略均等にドーム型の配置とすることができる外、中心部の花卉類を短く、外周側に向かう程長く設定することにより、花を平面状に並べたり、摺り鉢状に並べることが可能となり、その造形にも特段の熟練を要さないで実施することができるという秀れた利点が得られるものとなる。
【００３３】
叙述の如く、この発明の仏花用生け花器、およびそれを使用した仏花用生け花の仕上げ方法は、その新規な構成によって所期の目的を遍く達成可能とするものであり、しかも，製造も容易であって、従前までの仏花の製作に要する費用に比較し、遥かに経済的なものとすることができる上、組立てにも特段の熟練を必要とせず、仏花用生け花器の組立てから、生け花作業、維持管理、分解撤去までの一連の作業効率自体も大幅に高められることから、製作時間の短縮と費用の削減とを確実に達成可能にするものであり、専門技能者の確保の難しさや、仏花製作に長時間を要する等といった問題を抱えるだけではなく、昨今の経済状況から低価格化が強く求められるようになった生花業界や仏具業界において、高い評価がなされ、広範に渡って利用、普及していくものになると予想される。
【図面の簡単な説明】
図面は、この発明の仏花用生け花器、およびそれを使用した仏花用生け花の仕上げ方法の技術的思想を具現化した代表的な実施例を示すものである。
【図１】花瓶に立設された基幹部を示す斜視図である。
【図２】基幹部の花瓶への立設構造を示す断面図である。
【図３】枝型受筒部の構造を示す斜視図である。
【図４】緩衝帯および抑え棒を設けた枝型受筒部を示す斜視図である。
【図５】緩衝帯および抑え棒を設けた枝型受筒部を示す断面図である。
【図６】胴型受筒部の構造を示す斜視図である。
【図７】胴型受筒部の内部構造を示す断面図である。
【図８】組み立てられた仏花用生け花器を示す斜視図である。
【図９】仏花用生け花器に生けられた仏花を示す斜視図である。
【符号の説明】
１      仏花用生け花器
２      基幹部
２１    同  直真用支柱体
２２    同  飾り用支柱体
３      花瓶
４      枝型受筒部
４１    同  発泡合成樹脂製塊
４２    同  連結部
４３    同  緩衝帯
４４    同  抑え棒
５      胴型受筒部
５１    同  根元受け
５２    同  逆円錐管
５４    同  装着穴
５５    同  連結部
６      仏花
６１    同  直真
６２    同  見越し
６３    同  請
６４    同  請下
６５    同  流枝
６６    同  副
６７    同  副下
６８    同  控
６９    同  胴の側部
７０    同  色切の側部
７１    同  前置の側部
７２    同  胴の中央部
７３    同  色切の中央部
７４    同  前置の中央部
【図１】
0003840373.tif 000002
【図２】
0003840373.tif 000003
【図３】
0003840373.tif 000004
【図４】
0003840373.tif 000005
【図５】
0003840373.tif 000006
【図６】
0003840373.tif 000007
【図７】
0003840373.tif 000008
【図８】
0003840373.tif 000009
【図９】
0003840373.tif 000010